(57)【要約】  本発明は抄紙機に用いるための支持構造（１）及び被覆材料を包含する屈曲性及び多孔性織物構造に関する。被覆材料（２）は、被覆材料(２)が支持構造(１)の透過特性を実質的に変更しないように所定の位置で支持構造(１)の表面にのみ配置される。本発明は織物構造を製造する方法にも関する。【選択図】    なし
2008512577.tif 000002
【特許請求の範囲】
【請求項１】
抄紙機に用いるための支持構造（１）及び被覆材料を包含し、被覆材料（２）は支持構造（１）の透過性を実質的に変更しないように予め定めた位置において支持構造（１）の表面にのみ配置されていること及び被覆材料（２）は支持構造（１）を形成する要素の間に架橋を形成するように配置されていることを特徴とする屈曲性及び多孔性織物構造。
【請求項２】
被覆材料（２）は静電被覆又は熱的被覆によって支持構造（１）の表面に配置されていることを特徴とする請求項１に記載の織物構造。
【請求項３】
被覆材料（２）は重合体、金属、複合金属、セラミック、又は上記材料の混合物であることを特徴とする請求項１又は２に記載の織物構造。
【請求項４】
支持構造（１）は、織られた、編まれた、織合された、又は不織構造、たて編み、スティッチボンド布又は穴あきフィルムであることを特徴とする請求項１、２又は３に記載の織物構造。
【請求項５】
被覆材料(２)は支持構造（１）の紙側に配置されていることを特徴とする請求項１〜４のいずれかに記載の織物構造。
【請求項６】
被覆材料(２)は支持構造(１)の磨耗側に配置されていることを特徴とする請求項１〜４のいずれかに記載の織物構造。
【請求項７】
被覆材料(２)は支持構造(１)の紙側及び磨耗側に配置されていることを特徴とする請求項１〜４のいずれかに記載の織物構造。
【請求項８】
被覆材料(２)は支持構造（１）の幅の全てにおいて配置されていることを特徴とする請求項１〜７のいずれかに記載の織物構造。
【請求項９】
被覆材料（２）は支持構造(１)の中央領域にのみ配置されていることを特徴とする請求項１〜７のいずれかに記載の織物構造。
【請求項１０】
被覆材料(２)は支持構造(１)の端部領域にのみ配置されている配置されていることを特徴とする請求項１〜７のいずれかに記載の織物構造。
【請求項１１】
支持構造(１)の中央領域及び端部領域が異なる被覆材料（２）を有することを特徴とする請求項１〜７のいずれかに記載の織物構造。
【請求項１２】
端部領域の被覆は帯状であることを特徴とする請求項１０に記載の織物構造。
【請求項１３】
端部領域の被覆は異なるパターンであることを特徴とする請求項１０に記載の織物構造。
【請求項１４】
短繊維は被覆材料（２）として用いられることを特徴とする請求項１に記載の織物構造。
【請求項１５】
被覆材料（２）は短繊維のものであり、かつ次のもの:重合体、金属、複合金属、セラミック、又は上記材料の混合物の一であることを特徴とする請求項１に記載の織物構造。
【請求項１６】
織物構造は抄紙機の湿潤端部、プレス部分、又は乾燥部分として用いられる構造であることを特徴とする請求項１に記載の織物構造。
【請求項１７】
被覆材料（２）を所望の位置において支持構造(１)の表面にのみ配置して支持構造（１）の透過性性能が実質的に未変化に止まるようにすること及び被覆材料(２)が支持構造(１)を形成する要素の間の架橋を形成することを特徴とする、支持構造(１)上に被覆材料を配置することを包含する、抄紙機に用いるための屈曲性及び多孔性織物構造を製造する方法。
【請求項１８】
被覆材料（２）は静電被覆又は熱的被覆によって支持構造(１)の表面に配置されることを特徴とする請求項１７に記載の方法。
【請求項１９】
被覆材料（２）は重合体、金属、複合金属、セラミック、又は上記材料の混合物であることを特徴とする請求項１７又は１８に記載の方法。
【請求項２０】
支持構造（１）の表面を被覆材料(２)で被覆した後、支持構造を処理して被覆材料(２)を融解させ及び／又はメッシュとなり及び支持構造（１）に付着させることを特徴とする請求項１７、１８又は１９に記載の方法。
【請求項２１】
支持構造（１）は織られた、編まれた、織合された、又は不織構造、たて編み、スティッチボンド布又は穴あきフィルムであることを特徴とする請求項１７〜２０のいずれかに記載の方法。
【請求項２２】
被覆材料(２)は支持構造(１)の紙側に配置されることを特徴とする請求項１７〜２１のいずれかに記載の方法。
【請求項２３】
被覆材料(２)は支持構造（１）の磨耗側に配置されることを特徴とする請求項１７〜２１のいずれかに記載の方法。
【請求項２４】
被覆材料（２）は支持構造（１）の紙側及び磨耗側に配置されることを特徴とする請求項１７〜２１のいずれかに記載の方法。
【請求項２５】
被覆材料（２）は支持構造（１）の幅の全体に配置されることを特徴とする請求項１７〜２４のいずれかに記載の方法。
【請求項２６】
被覆材料（２）は支持構造（１）の中央領域にのみ配置されることを特徴とする請求項１７〜２４のいずれかに記載の方法。
【請求項２７】
被覆材料(２)は支持構造（１）の端部領域にのみ配置されることを特徴とする請求項１７〜２４のいずれかに記載の方法。
【請求項２８】
異なる被覆材料（２）が支持構造(１)の中央領域及び端部領域に配置されることを特徴とする請求項１７〜２４のいずれかに記載の方法。
【請求項２９】
端部領域の被覆は帯状であることを特徴とする請求項２７に記載の方法。
【請求項３０】
端部領域の被覆は異なるパターンであることを特徴とする請求項２７に記載の方法。
【請求項３１】
短繊維が被覆材料(２)として用いられることを特徴とする請求項１７に記載の方法。
【請求項３２】
被覆材料(２)は短繊維であり、かつ次のもの:重合体、金属、複合金属、セラミック、又は上記の材料の混合物の一であることを特徴とする請求項１７に記載の方法。
【発明の詳細な説明】
【発明の開示】
【０００１】
【技術分野】
【０００２】
本発明は、抄紙機に用いるための支持構造及び被覆材料を包含する屈曲性及び多孔性織物構造に関する。本発明は、抄紙機に用いるための屈曲性及び多孔性織物構造を製造する方法にも関する。
【０００３】
屈曲性及び多孔性織物構造は抄紙機の各種の部分、例えば湿潤端部、プレス部分及び乾燥部分に用いられている。
【０００４】
最近の数年間の間に、抄紙機(paper machine)の速度は増大した。２０年間に、抄紙機の設計速度は倍増し、主として≧２，０００ｍ／分である。現在、抄紙機の実際の最大駆動速度は≧１,８００ｍ／分である。これらの迅速抄紙機は、それに用いられる湿潤ワイヤのような織物構造の新規な特性、湿潤ワイヤの最も重要な特性の一つは安定性である。湿潤ワイヤの安定性は、その寸法安定性に帰する。貧弱な安定性の例は抄紙機のロールが正確に整列しない場合には、ぴんと張ったり斜めに走る間に湿潤ワイヤが広範囲に狭くなることである。第２の重要な特性は湿潤ワイヤの厚みである。迅速機械は極めて薄い湿潤ワイヤを求める。抄紙機の速度が増大すると、紙ウエブから除かれるべき水の量も増大し、即ち抄紙機織物の脱水能力は高速においても十分でなければならない。薄い湿潤ワイヤは厚いものより良好な脱水能力を有する。織物が同時に薄くかつ安定であることが必要である事実から矛盾が生じる。
【０００５】
上記の問題を解決するために各種の解決策が発展してきた。先行技術の解決の例は湿潤ワイヤに関連するＳＳＢ構造である。ＳＳＢは、シートサポートバインダー（sheet support binder: 後にＳＳＢ）の語から来たもので、紙側表面の形成にも関与する結合ヤーンと共に結合する２個の別個の層を有する構造に関する。換言すれば、結合ヤーンは、結合ヤーン及び繊維を支持するヤーンの両者として作用する。この技術は、例えば、米国特許第４，５０１，３０３号、第５，９６７，１９５号及び第５，８２６，６２７号に記載されている。ＳＳＢ構造は、抄紙機に求められる安定性を提供するが、織物構造の厚み、かつ従って大きな水空間から生じる問題がある。水空間は、米国特許第６，１２３，１１６号及び第６，１７９，０１３号に記載されているように、ヤーンを薄くすることによってＳＢＢ構造を薄くすることで減少することができる。然しながら、これは元の問題、安定性が乏しいことに戻ってしまう。
【０００６】
先行技術の解決の他の例は、各種の被覆の利用である。種々の被覆が湿潤ワイヤ(wet wire)に用いられた。然しながら、これらは特定の目的のためにのみ用いられた。換言すれば、湿潤ワイヤ上に夾雑物排除(dirt repellent)表面を提供するが湿潤ワイヤの他の特性は変化しない。例えば、米国特許第５，２０７，８７３号においては、被覆材は主として次の重合体:テフロン（登録商標）、ウレタン、及びポリアクリルアミドで主として作られている溶液である。被覆材は、湿潤ワイヤのヤーンに夾雑物排除表面を提供する。
【０００７】
本発明の目的は、抄紙機に用いられる織物構造(fabric structure)及び抄紙機に用いるための織物構造の製造方法であって、先行技術の欠点を解消するものを提供することである。これは本発明の織物構造及び方法によって達成される。本発明の織物構造は、支持構造(support structure)の透過特性を実質的に変更しないように被覆材料(coating material)は予め定めた場所において支持構造の表面にのみ配置されていること及び被覆材料は支持構造を形成する要素の間に架橋(bridges)を形成することを特徴とする。本発明の方法は、代りに、支持構造の透過特性を実質的に変更しないように被覆材料は予め定めた位置において支持構造の表面にのみ配置されていること及び被覆材料は支持構造を形成する要素の間に架橋を形成することを特徴とする。これは、被覆後に、支持構造は元来の目的に用いることができることを意味する。例えば、支持構造が湿潤ワイヤとして設計されている場合には、その空気透過性は少ししか変化せず、かつ依然として湿潤ワイヤとして使用できる。
【０００８】
特に、本発明は、極めて安定なかつ磨耗抵抗性の織物構造を提供する利点を提供する。本発明は更に、それと共に、織物構造の紙側又は磨耗側(wear side)上の所望の位置に被覆が提供されるという更なる利点を提供する。被覆は、支持構造の紙側又は磨耗側又は両側に提供される。被覆は支持構造の端部領域にのみにおくことができるし、又は端部領域は被覆なしで放置することができる。支持構造の端部領域上の被覆は、異なる厚みの帯状又は異なるパターンであり得る。本発明の被覆材料は、支持構造に浸透して構造を妨害しないので、支持構造の脱水能力は被覆材料によって実質的に減少しない。
【０００９】
次に、本発明を、添付した図面に記載した例によって詳細に説明する。ここにおいて、図１は被覆しない支持構造を示し、図２は本発明によって被覆した支持構造を示し、図３は被覆しない支持構造の安定性及び本発明によって被覆したものを比較する図を示す。
【００１０】
図１は、被覆しない支持構造１を示す。図１の例は磨耗側からの抄紙機の湿潤ワイヤを示す。本発明においては、図１の湿潤ワイヤ織物は、例えば、支持構造１として利用することができる。然しながら、本発明が図１の支持構造に限られないことは明らかであり、かつ支持構造は後述するように若干の他のタイプでもあり得る。
【００１１】
図２は、支持構造１及び被覆材料２を包含する本発明の屈曲性及び多孔性構造を示す。被覆材料２は、例えば重合体、金属、複合金属、セラミック、又は上記したものの混合物で作ることができる。支持構造１は、織られた、編まれた、織合された(wound)、又は不織構造、たて編み(warp-knit)、スティッチボンド布(stitc h-bonded fabric)又は穴あきフィルムであり得る。図の構造は支持構造１の静電又は熱的被覆法による被覆で得るのが好ましい。
【００１２】
図２は、被覆材料がどのようにヤーンの表面に付けられ、かつヤーンの間の結合を形成するかを示す。図２は、被覆材料２が支持構造１中に進入して構造を詰まらせることがなく、支持構造の透過特性は実質的に変化しないままであり、即ち、例えば脱水能力は実質的に減少することなく、本発明の被覆を有する湿潤ワイヤは通常の湿潤ワイヤと同様に抄紙機を走行できる。
【００１３】
図３は、被覆しない織物構造及び本発明の織物構造、即ち被覆した織物構造の安定性を荷重の関数として比較する図をを示す。この図は被覆した支持構造の伸びは被覆しない支持構造のものより小さいことを示す。図３に示された比較は、湿潤ワイヤ織物で行われている。図３は、本発明の織物構造は抄紙機において被覆しない織物構造より一層安定であることを示す。図に示された被覆しない織物構造の透過性は５,９００ｍ３／ｍ２ｈであり、かつ被覆した織物構造のものは５，２００ｍ３／ｍ２ｈである。
【００１４】
静電被覆法は、電気的に反対の片は互いに引合うという現象に基づく。被覆材料２は粉末又は液状の重合体材料である。被覆材料は帯電し、被覆すべき支持構造は反対の電荷で帯電する。帯電した被覆材料粒子は、次いで電気力によって処理すべき支持構造１の表面に移動する。被覆後に、被覆された支持構造は被覆材料を融解し及び／又はメッシュとなって支持構造に付着するように処理される。
【００１５】
ホットスプレイは被覆方法の一般的用語であり、被覆材料２及び場合によって添加剤は融解し、融解物は薄い噴霧として高速で支持構造１の表面に適用されて被膜を形成する。金属、複合金属、セラミックス、プラスチックス、及びそれらの混合物は被覆材料２として用いることができる。プラズマスプレイ、レーザー被覆及びＡＲＣ被覆のような数種のホットスプレイ法がある。プラズマスプレイ法では、粉末状又は線状被覆材料は極めて熱いガスで融解する。融解した被覆材料は炎となって、被覆材料が被覆すべき支持構造に向けられる。レーザー被覆法では、被覆を融解するガスの代りにレーザービームが用いられる。ＡＲＣ被覆法では、被覆すべき支持構造は真空室内におかれ、及び製造方法によって必要とされるレベルまで予熱される。被覆材料２は真空室内でガス放電によって蒸発する。被覆すべき支持構造１は負に帯電し、及び被覆材料２は正に帯電して被覆すべき支持構造は被覆材料を引き付ける。被覆材料は被覆される支持構造上のイオンによってイオンを沈着し、かつ支持構造の表面上に薄いフィルムを形成する。
【００１６】
本発明の構造において、織られた湿潤ワイヤの熱処理の間に構造のヤーンに屈曲部が形成される。屈曲部の間には結合は形成されず、屈曲部は互に分離したままである。被覆の間に、被覆材料２は屈曲部の間の空間に入り、屈曲部の間に架橋を形成するので、織物の安定性を改良する。
【００１７】
各種の脱水要素及び抄紙機のロールは磨耗側(wear side)で織物を磨耗する。織物の磨耗側における本発明の被覆、即ち支持構造は磨耗側ヤーンを保護し、及び湿潤ワイヤの磨耗抵抗を改良する。ギャップフォーマーにおいて、磨耗は紙側端部領域に生じ、及び織物の紙側の被覆は織物の磨耗抵抗性を改良する。
【００１８】
本発明の構造において、被覆は織物の端部領域、即ち支持構造１にある。このように、端部領域の特性は織物の中心部のものとは異なる。端部をより磨耗抵抗性にするために各種の被覆が用いられて端部に強化帯を形成することができる。被覆は、支持構造１の幅の全体に又は支持構造１即ちワイヤのウエブ領域の中心領域のみに配置することもできる。
【００１９】
本発明の構造において、異なる被覆材料がウエブ領域及び湿潤ワイヤの端部領域について選択される。このタイプの被覆は湿潤ワイヤの円滑性に影響し、及び次いで紙ウエブは端部領域からよりワイヤの中心から一層容易に分離する。このような解決は湿潤ワイヤからピックアッププレスフェルトへの紙ウエブの移送を容易にする。実際の紙ウエブはピックアッププレスフェルトに従い、かつ端部はワイヤに従う。
【００２０】
本発明の構造において、端部領域の被覆は端部の摩擦を増大し、かつ従ってロール上の滑りを減少する。このタイプの抄紙機織物は特に抄紙機の乾燥区域に用いることができる。
【００２１】
本発明の構造において、適切に選定された磨耗側被覆材料は抄紙機織物と抄紙機の異なる要素との間の摩擦を減少し、かつ従って抄紙機の荷重をも減少する。
【００２２】
織物の紙側の被覆は、紙ウエブ上の織物の支持表面を増大し、それによって機械的保持を改良し、かつ繊維移動は減少する。紙側上の被覆は織物の表面を円滑にし、それによって織物によって生じるマーキングが除かれる。適切な被覆は汚れ排除織物を提供し、かつ織物を清浄に保って操業が容易になる。
【００２３】
本発明の構造において、短い、例えば０．１〜０．３ｍｍの繊維が粉末又は液体の代りに用いられる。この繊維には、ポリエステル、ポリアミド、又は２成分繊維のような任意の織物繊維が用い得る。織物及び繊維は、反対の電荷で静電的に帯電され、かつステープルファイバーが織物の表面に拡げられる。繊維は、電荷によって及び／又は噴霧技術によって所望の方法で繊維内に配位される。繊維の固定は融解又は結合剤によって行われる。
【００２４】
本発明の構造は、支持構造、繊維被覆、及び本発明の若干の他の方法を組合せる。
【００２５】
本発明の上記構造において、支持構造は織られたものである。本発明の基本思想によれば、被覆は、曲げ、不織構造、たて編み、スティッチボンド布、又は穴あけフィルムでできた編まれた織物、抄紙機織物上に適用することもできる。
【００２６】
上記の記述において、本発明は抄紙機の湿潤端部に用いることを意図したワイヤによって記載している。本発明は上記の用途に限られるものではないことは当然であり、請求の範囲内において自由に適用できるものである。換言すれば、本発明は抄紙機の任意の部分、例えば湿潤端部、プレス部分、又は乾燥部分に用いられる織物に用いることができる。
【図面の簡単な説明】
【００２７】
【図１】被覆しない支持構造を示す図。
【図２】本発明によって被覆した支持構造を示す図。
【図３】被覆しない支持構造の安定性及び本発明によって被覆したものの安定性を比較する図。
【図１】
2008512577.tif 000003
【図２】
2008512577.tif 000004
【図３】
2008512577.tif 000005
【国際調査報告】
2008512577.tif 000006
2008512577.tif 000007
2008512577.tif 000008
2008512577.tif 000009
2008512577.tif 000010